(57)【特許請求の範囲】
【請求項１】
試験装置と被試験装置（２、２’）の間の双方向データ通信におけるエラー・レートの決定方法であって、下記のステージ、すなわち、
−第１の長さの第１のデータ・ブロック（２９）を試験装置（１、１’）により生成するステージ；
−第１のデータ・レートで第１のデータ・ブロック（２９）から生成される試験信号を送信するステージであって、当該第１のデータ・レートは、実現可能な最大データ・レートである、ステージ；
−前記被試験装置（２、２’）により、第１のデータ・レートで第１のデータ・ブロック（２９）から生成される試験信号を受信するステージ；
−前記被試験装置（２、２’）による前記試験信号を受信および評価するステージ；
−前記評価された試験信号からの、前記第１のデータ・ブロック（２９）の長さと異なる長さであって、第２のデータ・レートに応じた長さの第２のデータ・ブロック（３１）を生成するステージ；
−前記第１のデータ・レートと異なる前記第２のデータ・レートで前記第２のデータ・ブロック（３１）から生成された応答信号を前記被試験装置（２、２’）により戻し送信するステージ；
−前記試験装置により前記応答信号を受信および評価するステージ；および
−前記評価された応答信号の内容を、第１のデータ・ブロックが第２のデータ・ブロックより長い場合は、前記第１のデータ・ブロック（２９）の相当する部分（２９．１）と比較することにより、または第２のデータ・ブロックが第１のデータ・ブロックよりも長い場合は、前記第１のデータ・ブロック（２９）の内容を前記応答信号の相当する部分と比較することにより、エラー・レートを決定するステージ
を備える方法。
【請求項２】
請求項１に記載の方法であって、
長い方の第１のデータ・ブロック（２９）を前記第１の送信方向（３）において用いる場合、前記評価された試験信号の第１の部分（２９．１）の内容を短い方の第２のデータ・ブロック（３１）として用いることを特徴とする方法。
【請求項３】
請求項１に記載の方法であって、
長い方の第２のデータ・ブロック（３１）を前記第２の送信方向（４）において前記第２のデータ・ブロック（３１）の生成に用いる場合、前記評価された第１のデータ・ブロック（２９）の内容に加えて、充填データを用いることを特徴とする方法。
【請求項４】
請求項１〜３のいずれか一項に記載の方法であって、
前記試験装置（１、１’）の前記送受信装置は、前記被試験装置（２、２’）におけるＯＳＩ参照モデルのどの平面において前記第２のデータ・ブロック（３１）が前記評価された試験信号から生成されるかを決定することを特徴とする方法。
【請求項５】
請求項１〜４のいずれか一項に記載の方法であって、
前記関連するデータ・ブロック（２９、３１）の長さが、接続を確立する際に、前記試験装置（１、１’）により、前記第１の送信方向（３）について、および前記第２の送信方向（４）について決定されることを特徴とする方法。
【請求項６】
試験装置と被試験装置（２、２’）の間の双方向データ通信におけるエラー・レートの決定方法であって、下記のステージ、すなわち、
−試験装置（１、１’）により、第１の数（Ｑ）のデータ・ブロック（３３．０、．．．、３３．Ｑ−１）を持つ第１のグループを生成するステージ；
−前記試験装置（１、１’）により、第１のデータ・レートで前記第１のグループのデータ・ブロック（３３．０、．．．、３３．Ｑ−１）から生成された応答信号を送信するステージであって、当該第１のデータ・レートは、実現可能な最大データ・レートである、ステージ；
−前記被試験装置（２、２’）により前記試験信号を受信および評価するステージ；
−前記評価された試験信号から第２の数（Ｒ）のデータ・ブロック（３７．０、．．．、３７．Ｒ−１）を持つ第２のグループ（３６）を生成するステージであって、前記第２の数（Ｒ）は前記第１のグループ（３５）のデータ・ブロック（３３．０、．．．、３３．Ｑ−１）の前記第１の数（Ｑ）と異なり、第２のデータ・レートに応じたものである、ステージ；
−前記被試験装置（２、２’）により、前記第２のデータ・レートで前記第２のグループ（３６）のデータ・ブロック（３７．０、．．．、３７．Ｒ−１）から生成された応答信号を戻し送信するステージ；
−前記試験装置により前記応答信号を受信および評価するステージ；および
−第１の数（Ｑ）が前記第２のグループの（３６）の第２の数（Ｒ）より大きい場合は、前記評価された応答信号の内容を、前記第１のグループ（３５）のデータ・ブロック（３３．０、．．．、３３．Ｑ−１）と比較することにより、または第２の数（Ｒ）が前記第１のグループ（３５）の第１の数（Ｑ）よりも大きい場合は、前記第１のグループ（３５）のデータ・ブロック（３３．０、．．．、３３．Ｑ−１）を前記評価された応答信号の前記第２のグループ（３６）の相当するデータ・ブロック（３７．０、．．．、３７．Ｒ−１）と比較することにより、エラー・レートを決定するステージ
を備える方法。
【請求項７】
請求項６に記載の方法であって、
大きい方の第１の数（Ｑ）を前記第１の送信方向（３）において用いる場合、前記評価された試験信号の前記第１のグループ（３５）の前記第１のデータ・ブロック（３３．０、．．．、３３．Ｑ−１）の内容を前記第２のグループ（３６）の前記データ・ブロック（３７．０、．．．、３７．Ｒ−１）として用いることを特徴とする方法
【請求項８】
請求項６に記載の方法であって、
大きい方の数（Ｒ）のデータ・ブロック（３７．０、．．．、３７．Ｒ−１）を前記第２の送信方向（４）において用いる場合、前記評価された第１のグループ（３５）のデータ・ブロック（３３．０、．．．、３３．Ｑ−１）の内容に加えて、充填データを、前記第２のグループ（３６）の前記データ・ブロック（３７．０、．．．、３７．Ｒ−１）を生成するために用いることを特徴とする方法。
【請求項９】
請求項６〜８のいずれか一項に記載の方法であって、
前記試験装置（１、１’）の前記送受信装置は、被試験装置（２、２’）におけるＯＳＩ参照モデルのどの平面において前記第２のグループ（３６）の前記データ・ブロック（３７．０、．．．、３７．Ｒ−１）が前記評価された試験信号から生成されるかを決定することを特徴とする方法。
【請求項１０】
請求項６〜９のいずれか一項に記載の方法であって、
前記第１の送信方向（３）および前記第２の送信方向（４）に対する前記第１および第２のグループ（３５、３６）の前記第１および第２の数（Ｑ、Ｒ）のデータ・ブロック（３３．０、．．．、３３．Ｑ−１；３７．０、．．．、３７．Ｒ−１）は前記接続を確立する際に前記試験装置（１、１’）により決定されることを特徴とする方法。
【請求項１１】
請求項６〜１０のいずれか一項に記載の方法であって、
一つのグループ（３５、３６）のデータ・ブロック（３３．０、．．．、３３．Ｑ−１；３７．０、．．．、３７．Ｒ−１）の前記数（Ｑ、Ｒ）は少なくとも一つの送信方向（３、４）において最大であることを特徴とする方法。
【請求項１２】
請求項１〜１１のいずれか一項に記載の方法であって、
前記可能な限り最大の長さのデータ・ブロック（２９、３１、３３．Ｑ−１；３７．０、．．．、３７．Ｒ−１）を少なくとも一つの送信方向（３、４）において用いることを特徴とする方法。
【請求項１３】
請求項１〜１２のいずれか一項に記載の方法であって、
前記試験信号および前記応答信号は基礎帯域信号であることを特徴とする方法。
【請求項１４】
第１の送信方向（３）において被試験装置（２、２’）に送信されるデータの受信装置についてのエラー・レートを決定するための試験装置であって、
第１の長さの第１のデータ・ブロック（２９）を生成するためのシーケンス生成器（５）、および第１のデータ・ブロックから生成された試験信号（２９’）を実現可能な最大データ・レートである第１のデータ・レートで送信するため、および前記被試験装置（２、２’）により第２のデータ・レートで送信された応答信号を受信し、前記第２のデータ・レートに応じた第２の異なる長さの第２のデータ・ブロックに基づいて評価するための送受信装置、および前記２つのデータ・ブロックの内容のエラー・レートを決定するための評価部（１１）を備え、
前記それぞれの短い方のデータ・ブロック（３０）を、前記評価部（１１）により、前記長い方のデータ・ブロックの相当する部分（２９．１）と比較して前記エラー・レートを決定することが可能である、試験装置。
【請求項１５】
請求項１４に記載の試験装置であって、
前記試験装置（１、１’）は、前記被試験装置（２、２’）におけるＯＳＩ参照モデルのどの平面において前記第２のデータ・ブロック（３１）が前記評価された試験信号から生成されるかを決定することが可能であることを特徴とする試験装置。
【請求項１６】
請求項１４または１５に記載の試験装置であって、
前記関連するデータ・ブロック（２９、３１）の長さが、前記第１の送信方向（３）について、および前記第２の送信方向（４）について、接続を確立する際に、前記試験装置（１、１’）により決定されることを特徴とする試験装置。
【請求項１７】
第１の送信方向（３）において被試験装置（２、２’）に送信されるデータの受信装置についてのエラー・レートを決定するための試験装置であって、
第１の数（Ｑ）のデータ・ブロック（３３．０、．．．、３３．Ｑ−１）を持つ第１のグループ（３５）を生成するためのシーケンス生成器（５）と、
前記第１のグループ（３５）のデータ・ブロック（３３．０、．．．、３３．Ｑ−１）から生成された試験信号を実現可能な最大データ・レートである第１のデータ・レートで送信するため、および前記第１の数（Ｑ）とは異なり、第２のデータ・レートに応じた第２の数（Ｒ）のデータ・ブロック（３７．０、．．．、３７．Ｒ−１）を持つ第２のグループ（３６）に基づいて前記被試験装置（２、２’）から第２の送信方向（４）に前記第２のデータ・レートで送信された応答信号を受信および評価するための第１の送受信装置と、
前記２つのグループ（３５、３６）のデータ・ブロック（３３．０、．．．、３３．Ｑ−１；３７．０、．．．、３７．Ｒ−１）の内容のエラー・レートを決定するための評価部（１１）を備え、
前記小さい方の数（Ｑ、Ｒ）のデータ・ブロック（３３．０、．．．、３３．Ｑ−１；３７．０、．．．、３７．Ｒ−１）を持つ前記第１または第２のグループ（３５、３６）の前記データ・ブロック（３３．０、．．．、３３．Ｑ−１；３７．０、．．．、３７．Ｒ−１）の内容を、前記エラー・レートを決定するための評価部により、前記大きい方の数（Ｒ、Ｑ）のデータ・ブロック（３７．０、．．．、３７．Ｒ−１；３３．０、．．．、３３．Ｑ−１）を持つ前記第２または第１のグループ（３６、３５）の相当するデータ・ブロック（３７．０、．．．、３７．Ｒ−１；３３．０、．．．、３３．Ｑ−１）と比較することが可能である、試験装置。
【請求項１８】
請求項１７に記載の試験装置であって、
前記試験装置（１、１’）は、前記被試験装置（２、２’）におけるＯＳＩ参照モデルのどの平面において前記第２のグループ（３６）のデータ・ブロック（３７．０、．．．、３７．Ｒ−１）が前記評価された試験信号から生成されるかを決定することが可能であることを特徴とする試験装置。
【請求項１９】
請求項１７または１８に記載の試験装置であって、
前記それぞれのグループ（３５、３６）のデータ・ブロック（３３．０、．．．、３３．Ｑ−１；３７．０、．．．、３７．Ｒ−１）の前記第１および第２の数（Ｑ、Ｒ）を、前記第１の送信方向（３）および前記第２の送信方向（４）について、接続を確立する際に、前記試験装置（１、１’）により決定されることを特徴とする試験装置。
【請求項２０】
請求項１７〜１９のいずれか一項に記載の試験装置であって、
一つのグループ（３５、３６）のデータ・ブロック（３３．０、．．．、３３．Ｑ−１；３７．０、．．．、３７．Ｒ−１）の数（Ｑ、Ｒ）は少なくとも１つの送信方向（３、４）において最大であることを特徴とする試験装置。
【請求項２１】
請求項１４〜２０のいずれか一項に記載の試験装置であって、
前記可能な限り最大の長さのデータ・ブロック（３３．０、．．．、３３．Ｑ−１；３７．０、．．．、３７．Ｒ−１）を少なくとも１つの送信方向（３、４）について用いることが可能であることを特徴とする試験装置。
【請求項２２】
請求項１４〜２１のいずれか一項に記載の試験装置であって、
前記試験信号および／または前記応答信号は基礎帯域信号であることを特徴とする試験装置。
【発明の詳細な説明】
【技術分野】
【０００１】
本発明は、本発明は受信装置のエラー・レートを決定するための試験方法および装置に関するものである。
【背景技術】
【０００２】
信号受信装置の品質を決定するために、試験すべき受信装置を含む、被試験装置に試験信号を送信する。この試験信号は送信プロトコルに従う第１のデータ・ブロックから生成される。被試験装置はこの試験信号を受信し、これを評価する。すなわち、被試験装置は、試験信号中に含まれる元データを復元するために、送信プロトコルに基づいて実装されたプロセスを反転する。理想的な場合、送信経路においても評価に置いてもエラーが生じないが、この場合は被試験装置の評価された試験信号は最初に送信された第１のデータ・ブロックの内容と完全に一致する。すなわち、ビット毎に同一である。
【０００３】
評価された試験信号から、被試験装置は第２のデータ・ブロックを生成する。この第２のデータ・ブロックは使用されている送信プロトコルに対応する第１のデータ・ブロックと同様にして応答信号を形成するように調節されている。この応答信号は被試験装置により試験実行装置に送り返される。試験実行装置は今度は第１のデータ・ブロックの内容を、第２のデータ・ブロックのデータを含む、評価された応答信号の内容と比較することが可能となり、従って、例えば、ビット・エラー・レート（ＢＥＲ）を、第１のデータ・ブロックの内容と第２のデータ・ブロックの内容の間のずれから決定することができる。この比較において、第１および第２のデータ・ブロックが相互にビット毎に比較される。第１および第２のデータ・ブロックはふつう同じ長さであるが、その理由は両送信方向に用いられている送信レートが同じであるためである。
【発明の開示】
【発明が解決しようとする課題】
【０００４】
この公知の方法の欠点の一つは、両通信方法において異なるデータ・レートを実現するという現代送信システムの能力を考慮していないということである。一方の通信方向を使用しないために、エラー・レート測定の統計値が限定される。その理由は、多くの場合、データ・レートの増加は対応する被試験装置またはその受信装置のエラー・レートの増加に結びつくからである。
【０００５】
本発明の目的はエラー・レートを決定する方法および試験装置であって、双方向チャンネルの異なるデータ・レートを使用するための統計的に価値のある測定結果を与えるものを提供することである。
【課題を解決するための手段】
【０００６】
上述の目的は請求項１または請求項６に従う本発明の方法および請求項１４または請求項１７に従う本発明の試験装置により達成される。
【０００７】
本発明の方法では、試験信号を試験装置から被試験装置へ第１の送信方向に送信する。試験信号は第１のデータ・ブロックまたは第１の群のデータ・ブロックから生成され、その内容は試験装置によっても決定される。被試験装置は試験信号を受信し、これを評価し、理想的な場合、すなわちエラー・レートが０パーセントで、第１のデータ・ブロックまたは第１の群のデータ・ブロックの、完全なビット毎に同一な内容を含む。被試験装置はこの評価された試験信号を用いて第２のデータ・ブロックまたは第２の群のデータ・ブロックを生成し、次いで、被試験装置が第２のデータ・ブロックまたは第２の群のデータ・ブロックから応答信号を生成する。
【０００８】
第２のデータ・ブロックは被試験装置により生成されるので、試験装置により生成される第１のデータ・ブロックとは長さが異なる。従って、第１または第２の送信方向に対するデータ・ブロックの長さは、それぞれの送信方向のデータ・レートによって決まる。無誤謬送信の場合、短い方のデータ・ブロックの内容は長い方のデータ・ブロックの所与の一部分に等しい。無誤謬送信の場合、短い方のデータ・ブロックの内容は長い方のデータ・ブロックの所与の一部分に等しい。第１のデータ・ブロックは第２のデータ・ブロックよりも長い場合があり得る。これは典型的には、ダウンリンクにおける第三世代の携帯電話（例えばＵＭＴＳ）の場合に該当する。あるいは、第２のデータ・ブロックは第１のデータ・ブロックよりも長い場合があり得る。後者の場合は、例えば、携帯電話ネットワークの基地局を試験している場合に起きることがある。
【０００９】
あるいはまた、いくつかのデータ・ブロックからなる複数のグループを形成し、第１または第２のグループの、異なる数のデータ・ブロックを２つの送信方向において使用することによっても異なるデータ・レートを生じさせることが可能である。無誤謬送信では、その場合、データ・ブロックの小さい群からのデータ・ブロックはビット毎にデータ・ブロック数の大きい群のデータ・ブロックの一部分と一致する。第１または第２のグループのデータ・ブロックの数が異なることに加えて、第１および第２のグループについて異なるデータ・ブロックの長さを選択しても、少なくともデータ・ブロックの一部分がこのように一致する。
【００１０】
次いで、試験装置は応答信号を受信しこれを評価する。無誤謬送信において一致する、第１のデータ・ブロックおよび第２のデータ・ブロックの一部、または無誤謬送信において少なくとも一部分一致する、第１および第２のグループのデータ・ブロックが、それらの一致に関して、試験装置によってチェックされる。このために、異なる長さのデータ・ブロックを使用する場合、評価された応答信号またはその一部分をビット毎に第１のデータ・ブロックの所与の一部分の内容と、または第１のデータ・ブロック全体と比較する。次いで、得られた偏差から例えばビット・エラー・レートまたはブロック・エラー・レートを試験装置により決定することができる。第１のグループと第２のグループで異なる数のデータ・ブロックを用いる場合、評価は、相当する方法により、第１のグループと第２のグループの相当するデータ・ブロックのビット毎の比較によりなされる。さらに長さが異なると、相当するデータ・ブロックの関連する部分をビット毎に比較する。
【００１１】
この種の評価サイクルを多数階繰り返して、多数の送信された試験信号および受信された応答信号から、統計的に確実なエラー・レートを得る。
【００１２】
従属請求項は本発明に従う方法のさらなる利点に関するものである。
【００１３】
受信装置の性能を決定するためには、第１の送信方向において可能な限り最大のデータ・レートを用いると特に有利である。受信装置の品質は使用するデータ・レートとともにしばしば変化するので、実現可能な最大データ・レートを使用することは受信装置のエラー・レートを最大のストレス下で決定することが可能であることを意味する。その理由は、最大量のデータを単位時間当たりに処理しなければならないからである。これにより、使用時の最も重要な条件に関する比較基準が得られる。
【００１４】
高周波信号の代わりに基礎帯域信号が試験装置と被試験装置との間に送信される場合、さらなる利点が得られる。従って、高周波送信信号を生成または、例えば混合する際に基礎帯域信号をさらに処理するときに起きるエラーが排除され、基礎帯域信号の処理に関する成分を特に試験することができる。基礎帯域信号の送信のために、試験装置と被試験装置の双方における信号処理の相当する一において基礎帯域信号をピックアップする。
【発明を実施するための最良の形態】
【００１５】
本発明に従う方法の好適な例示的実施形態を図面に示すとともに以下に詳細に説明する。
【００１６】
図１は被試験装置のエラー・レートを決定する手順を模式的に示す。以下の説明は携帯電話システム、特に第三世代の携帯電話システムへの応用に関するものであるが、本発明の方法は、第１の送信方向と第２の送信方向において異なるデータ・レートを実現することができる他の通信システムに対しても使用することができることを明かにしておく。この種のシステムの一つはインターネットであり、これに使用するモデムを本発明の方法を用いて試験することができる。
【００１７】
図１において、試験装置１と被試験装置２との間に接続が確立される。この場合、本実施例の被試験装置２は携帯電話装置である。試験装置と被試験装置２との間の接続を確立する際に、所与の携帯電話ネットワーク内の携帯電話装置の操作に必要とされるすべてのパラメータが基地局をエミュレートすることにより決定される。従って、接続はそれぞれの使用している携帯電話の標準または送信プロトコルの使用に従って確立される。
【００１８】
試験装置１と被試験装置２の間の接続は第１の通信方向３（下り回線（ダウンリンク））および第２の通信方向（上り回線（アップリンク））において確立されるが、この場合、試験装置１と被試験装置２との間情報の通信のために空気インターフェースとケーブル接続を使用することが可能である。
【００１９】
エラー・レートを決定するために、基地の試験シーケンス、すなわち、所与の二値データシーケンスを被試験装置２に移送し、次いで試験装置１には既知のこの試験シーケンスの内容が被試験装置２に正確に受信されかつ評価されたか否かをチェックする。最初、所与のビット・シーケンスからなる試験シーケンスを試験装置１のシーケンス生成器５において第１のデータ・ブロックとして生成する。使用したビット・シーケンスはアプリケーションに特異的な方法で異なっていることも可能であり、従って、試験されている個々のシステムに適合させることができる。
【００２０】
試験シーケンスは、次いで、第１のエラー訂正要素６に供給され、第１のエラー訂正要素６は試験シーケンスをさらに処理して送信エラーの発生を防止し、またはエラーの訂正を可能にする。第１のエラー訂正要素６における試験シーケンスの処理を、以下に、図４を参照してさらに詳細に説明する。
【００２１】
シーケンス生成器５に生成された試験シーケンスは第１の通信方向３に試験信号として被試験装置２に送信される。第１のエラー訂正要素の試験シーケンスのさらなる処理は任意的であり、抑制することもできる。しかしながら、この種のエラー訂正を第１のエラー訂正要素６において行うと、第１のエラー訂正要素６における試験シーケンスの処理は、被試験装置２の第２のエラー訂正要素７において適当な手段により反転され、第１の通信方向３の理想的な通信の場合、または極大エラー訂正の場合、オリジナルの試験シーケンスは被試験装置２の第２のエラー訂正要素７の出力において完全に再構築される。
【００２２】
これに対して、エラーは実際のシステムにおいては、試験信号の送信または試験信号の受信および評価の際に少なくとも若干程度必然的に生じる。これの意味するところは、第２のエラー訂正要素７の出力において試験信号を評価した後は、ビット・シーケンスが存在し、ビット・シーケンスはシーケンス生成器５において最初に生成された試験シーケンスから内容が異なる。被試験装置２が評価された試験シーケンスのビット・シーケンスを用いて第２のデータ・ブロックを生成し、この第２のデータ・ブロックから応答信号を生成する。
【００２３】
このために、試験部分８を用いる（「試験ループ」）。試験部分８は評価された試験信号から、試験装置１と被試験装置２の間に確立された、特に第２の通信方向における接続の要件に相当する応答シーケンスを生成する。第２の送信方向３に被試験装置２に送信されるデータ・ブロックの長さが被試験装置２から第２の送信方向４に試験装置１に戻し送信されるデータ・ブロックの長さより大きい一実施例において、より短い第２のデータ・ブロックを生成するのに必要とされる、例えば評価された試験信号のブロック中の第１のビットで始まるデータだけを使用する。これは図５の説明を参照して以下にさらに詳細に説明する。
【００２４】
不正確に認識されたビットまたは認識されなかったビットは別として、最初に生成された試験シーケンスの相当する部分に相当する応答シーケンスが第２のデータ・ブロックとして試験部分８から生成される。応答信号として第２の送信方向４において試験装置１に戻し送信される前に、この第２のデータ・ブロックは第３のエラー訂正要素９においてエラー訂正のために処理することができる。相当する第４のエラー訂正要素１０が試験装置１に設けられており、第２の送信方向４における送信経路に生じた任意のエラーを訂正するために、第３のエラー訂正要素９の測定値を反転する。
【００２５】
受信され評価された応答信号は試験装置１の評価部１１に供給され、評価部１１においては、例えばビット・エラー・レート（ＢＥＲ）が、試験装置１には実際に既知の、評価された応答信号および試験シーケンスから決定される。この目的のために、評価部１１が、試験シーケンスの部分であって、当該部分から試験部分８において第２のデータ・ブロックの応答シーケンスが生成された試験シーケンスの部分を、評価された応答信号とビット毎に比較する。この文脈で試験シーケンスの所与の部分を用いて第２のデータ・ブロックの応答シーケンスを試験部分８に生成することは関連するシステムに適用可能な標準に特定されている。
【００２６】
既に述べたように、ここに提示されている第三世代の携帯電話装置の例においては、第１の送信方向３におけるデータ・レートが第２の送信方向４におけるデータ・レートよりも高いならば、試験シーケンスの個々の第１のコヒーレント・データを用いて第２のデータ・ブロックの応答シーケンスを生成する。この種のビット・エラー・レートを決定することにより被試験装置２の受信装置の実際の品質を確立するためには、第２の送信方向４における送信はできるだけ干渉が少ない状態で行われ、評価された応答信号が現実的に第２のデータ・ブロックの応答信号と正確に合致するようにしなければならない。
【００２７】
逆に、減退シミュレータ１２を用いて第１の送信方向３における現実の送信経路をシミュレートすることにより、ダウンリンクの現実の送信における、例えばレベルの減衰または時間のずれをシミュレートし、被試験装置２の受信装置による試験信号の正確な評価に対するそれらの影響を決定することもできる。
【００２８】
図２は試験装置１’および被試験装置２’の詳細図である。図１を参照してすでに説明した本発明野方法を実施するための試験装置１および被試験装置２の部品は図２において同じ参照符号を付されている。不要な繰り返しを避けるために、これらの部品についてはさらに説明することはしない。
【００２９】
図２に示す試験装置１’は、シーケンス生成器５および第１のエラー訂正要素６に加えて変調器１３を含み、変調器１３により、エラー訂正要素６を用いて処理することができる試験シーケンスがさらに処理されて高周波信号を形成する。このさらなる処理は、他の要因の中でも特に、基礎帯域信号の搬送周波数への混合を含み、この搬送周波数でそのときに存在する試験信号が第１の送信方向３に送信される。
【００３０】
従って、被試験装置２’に変調器１４を設け、第１の送信方向３に送信された試験信号から、シーケンス生成器５において生成された試験シーケンスのオリジナルの情報を回復するようにする。引き続き、第２のエラー訂正要素７においてエラー訂正後、このようにして評価された試験信号を試験部分８に供給する。図２に示す例示的実施形態では、２つの二者択一的実施形態が試験部分８について示されている。試験部分８は第１の変異部分（variants）８．１と第２の変異部分８．２を含む。第１の変異部分８．１と第２の変異部分８．２はＯＳＩ参照モデルの異なる層を示し、ＯＳＩ参照モデルには、応答シーケンスが評価された試験信号から生成される、いわゆる「試験ループ」を配置することができる。
【００３１】
所与の送信プロトコルに対して、これらの可能性が関連する標準に規定されている。ＵＭＴＳシステムの例が与えられると「層１」または「ＲＬＣ（ラジオ・リンク・コントロール）層」が標準により特定される。上記標準の使用に従って、試験部分８の２つの異なる変異体８．１および８．２の間で選択が可能である。この選択は、好ましくは接続の確立の際に、被試験装置２’に接続された個々の試験装置１’により決定される。評価された試験信号は使用に従って第１の変形態８．１については「層１」に供給され、第２の変異部分８．２については「ＲＬＣ層」に供給されるので、応答信号はこれら変異部分８．１または８．２の１つにより評価された試験信号から生成される。
【００３２】
この応答シーケンスは第３のエラー訂正要素９を通過する。エラー訂正要素９の機能は透明モードに切り換えることもできる。すなわち応答シーケンスの供給されたデータを用いてエラー訂正が行われない。このいわゆる「透明モード」は他のエラー訂正要素」についても可能であり、試験装置１’または図１の試験装置１による接続の確立の際に決定されるのが好ましい。
【００３３】
応答シーケンスは被試験装置２’の変調器１５によりもう一度処理されて送信可能な応答信号を形成するので、応答信号は被試験装置２’により第２の送信方向４において試験装置１’に最終的に戻し送信される。試験装置１’の受信機は相当する変調器１６に適合されているので、受信された応答信号は受信され、評価されることが可能である。被試験装置２’によりエラー訂正が実行されると、変調された応答信号が第４のエラー訂正要素１０に供給されてから完全に評価された応答信号最終的にビット毎に評価部１１内で最初に生成された試験シーケンスと比較される。最初に生成された試験シーケンスを完全に評価された応答信号と比較することにより、評価部１１が例えばビット・エラー・レートまたはブロック・エラー・レートを決定することができる。ブロック・エラー・レートの決定においては、少なくとも１つのビット・エラーを含むあらゆるブロックがブロック・エラーとして評価される。
【００３４】
本発明の方法を、例えばＵＭＴＳシステムに使用するときは、第１の送信方向３におけるデータ・レートと第２の送信方向４におけるデータ・レートを試験装置１’により決定する。特に、接続の確立の際に、試験装置１’は「試験ループ」が置いてある被試験装置２’内の位置を決定する。すなわち、試験部分８の第１の変異部分８．１または第２の変異部分８．２のいずれを使用すべきかを決定する。試験装置１’は第１の方向の送信後の試験信号の評価の実際の施行、またはその後の第２のデータ・ブロックのための応答信号の生成には関与しないが、被試験装置２’は関連する標準に定義されているルーチーンを実行する。
【００３５】
応答信号を評価するため、またはエラー・レートを決定するために試験装置１’は試験シーケンスの部分であって、理想的環境下ではこれと評価された応答信号が等しくなるべき部分を決定する。従って、第１のデータ・ブロックの長さが第２のデータ・ブロックの長さよりも大きいならば、第１の送信方向３および第２の送信方向４における送信のために用いられるデータ・ブロックの長さによって、試験装置１’は評価された応答信号の全長を試験シーケンスの相当する部分と比較する。
【００３６】
図３は第２の応答信号の生成のために第３のエラー訂正要素９により、または試験装置１または１’において、第４のエラー訂正要素１０において用いられるデータシーケンスの処理の際の個々のステージをごく簡単に示す。第１のステージ１７において、チェックサム（検査合計）、例えばＣＲＣ（巡回冗長検査（Ｃｙｃｌｉｃ  Ｒｅｄｕｎｄａｎｃｙ  Ｃｈｅｃｋ））合計を応答シーケンスに加える。このようにして生成され、チェックサムが加えられた応答シーケンスは、次のステージ１８において例えば「畳み込み符号化」または「ターボ符号化」により符号化されるが、種々の変数符号化アルゴリズムは関連する送信標準により確立されている。
【００３７】
第３のステージ１９において、符号化されたシーケンスははじめてインターリーブ（交互配置）される。すなわち、符号化されたデータ・ブロックに含まれる情報のシーケンスが所定のスキームに従って交換される。これに続いて、ステージ２０で、個々のデータパケットが形成され、個々のデータパケットは例えばフレーム構造の仕様に従って形成され、所与の時間システムに従う。ＵＭＴＳシステムの場合、データ・レートが次のステージ２１においてビット反復またはビット・ブランキングにより物理的チャンネルに整合される。物理的チャンネルは第２の送信方向４において送信すべきデータ・レートに応じて確立される。このステージの後に存在するシーケンスをもう一度次のステージ２２においてインターリーブしてから、シーケンスを正規拡散符号（ｏｒｔｈｏｇｏｎａｌ  ｓｐｒｅａｄｉｎｇ  ｃｏｄｅｓ）を用いて拡散する。拡散後、送信すべきデータがチップ・シーケンスとして得られる。
【００３８】
この形で存在するデータを、次いで、第２の送信方向４’において既に説明された方法で送信する。この場合、図３に点線で示した第２の送信方向４’はステージ２２における第２のインターリービング後にさらなる処理が行われることを象徴している。ステージ１７〜２２において行われる、応答シーケンスを用いるエラー訂正工程は、相当する処理ステージ１７’〜２２’においては試験装置１または１’の第４のエラー訂正要素１０により再び段階的にキャンセルされるが、ここでは説明しない。その理由は、逆の順序であるが、処理ステージ１７〜２２と同様に進行するからである。
【００３９】
図４は試験装置１または１’の第１のエラー訂正要素６並びに被試験装置２および２’の第２のエラー訂正要素７における第２の可能なエラー訂正手順を示す。ステージ２３および２４は図３を参照して既に説明したステージ１７および１８に対応する。しかしながら、続くステージ２５はでは、データ・レートはビット反復およびビット・ブランキングにより物理的チャンネルに整合させる。このステージの後に提供されるシーケンスはステージ２６にインターリーブする。ステージ２７では、ビット・ブロックをセグメント化して、関連する送信標準に規定されている、対応するフレーム構造にする。こうしてフレームの個々のビット・パケットにセグメント化された情報をもう一度ステージ２８にインターリーブする。
【００４０】
処理ステージ２８’〜２３’において、被試験装置２または２’に設けられたエラー訂正要素７はもう一度同様の方法で第１のエラー訂正要素６においてエラー訂正のために実装されているステージ２３〜２８を反転する。
【００４１】
図５は、再び、試験装置１’の評価部１１において比較のために、従ってエラー・レートの決定のために使用される第２のデータ・ブロックが被試験装置２’により、例えば第１のデータ・ブロックからどのように生成されるかを示す。ダウンリンクの信号に対して、すなわち、例示的に説明された携帯電話システムの第１の送信方向３において、例えば２、８８０ビットの長さが第１のデータ・ブロックについて決定される。このデータ・ボリュームが送信されなければならない送信時間（ＴＴＩ、送信時間間隔）が追加的に決定される。決定されたデータを図６−ａの図表に示す。
【００４２】
従って、第１のデータ・ブロックは全長が２、８８０ビットとなり、第１の部分２９．１と第２の部分２９．２に分割される。第１のデータ・ブロック２９の全体の長さはシーケンス発生器５において生成された試験シーケンスの長さに等しい。この試験シーケンスを上述のようにして処理して、他のファクター中、特にチェックサム３０を追加してから試験信号を第１の送信方向３において被試験装置に送信する。
【００４３】
第２のエラー訂正要素７におけるエラー訂正が輸送モードに切り換えられていないと、受信された試験信号の処理はチェックサム３０を考慮に入れる。この文脈で、関連する、欠けている情報を、例えば重複情報を用いて訂正することが可能であるならば、試験シーケンスのオリジナル・データのあるものは被試験装置２または２’の第２のエラー訂正要素７により訂正される。
【００４４】
第１の部分２９．１からの試験信号の評価において得られたデータは応答信号用の応答シーケンスとして用いられるデータに対応する。応答シーケンスは、被試験装置２または２’による評価において、第１の部分２９．１の内容として決定されるデータが応答シーケンスを形成するように、被試験装置２または２’により形成される。この評価において、第２の部分２９．２の内容は、第１のデータ・ブロックおよびチェックサム３０の全情報がエラー訂正に用いられるように、考慮にいれられる。
【００４５】
例えば試験装置１または１’により決定されるデータ・レートに相当する、第２のデータ・ブロック３１の長さは１、２８０ビットであり、この１、２８０ビットは例えば２０ミリ秒（ｍｓ）の送信時間の間に送信されなければならない。従って、第１の部分２９．１の試験信号から決定される内容のみが第２の送信ブロック用のデータとして用いられるため、第２のデータ・ブロック３１全体のデータｕ’0〜ｕ’k-1がオリジナル・試験シーケンスのデータｕ0〜ｕk-1から生成される。第２の送信方向４用のパラメータを図６−ｂの図表に示す。
【００４６】
応答シーケンスに対する重複情報を含む第２のチェックサム３２が第２のデータ・ブロック３１のこれらのデータに追加されてから、第２のデータ・ブロック３１は第２のチェックサム３２とともに第２の送信方向４において試験装置１または１’に戻し送信される。この応答信号は次いで、評価されるが、この場合、適切な試験環境により、送信エラーが第２の送信方向において少なくともほぼまったく起きないことが保証されなければならない。次いで、試験装置１または１’の評価部１１において、評価された応答信号の内容を第１のデータ・ブロック２９の第１の部分２９．１の内容とビット毎に比較する。
【００４７】
試験信号であって、その内在する第１のデータ・ブロックが、応答シーケンスに対応する第２のデータ・ブロックよりも短い試験信号から応答シーケンスを生成するために、充填データを使用することができ、あるいは所与の予め定義されたビット・シーケンスを使用することができる。
【００４８】
次いで、データの偏差毎に、ビット・エラーを数え、そのカウントから送信されたビットの総数に対するビット・エラー・レートを決定する。ブロック・エラー・レートを決定するには、ビット・エラーが起きた各ブロックをブロック・エラーとして同時にカウントする。
【００４９】
上述の説明のように、測定された結果の統計的価値にとって決定的に重要なのは、双方向チャンネルの２つの送信方向について異なるデータ・レートを用いていることである。図５を参照して詳細に説明した、異なる長さのデータ・ブロックを使用することに加えて、いくつかのデータ・ブロック３３．０〜３３．Ｑ−１を持つ第１のグループ３５から試験信号を形成することも可能である。これは図７に示す。次いで、それぞれのデータ・レートを単位時間に送信されたデータ・ブロックの数により決定する。
【００５０】
図示した例示的実施形態では、第１の数Ｑ個のデータ・ブロック３３．０〜３３．Ｑ−１を用いて第１のグループ３５を形成する。これらのデータ・ブロック３３．０〜３３．Ｑ−１はすべて同じ長さである。個々のチェックサム３４．０〜３４．Ｑ−１を各データ・ブロック３３．０〜３３．Ｑ−１に追加してエラー訂正を可能にする。
【００５１】
被試験装置２、２’において評価される試験信号はデータ・ブロック３３．０〜３３．Ｑ−１のこのグループ３５から形成される。第２の数Ｒ個のデータ・ブロック３７．０〜３７．Ｒ−１を持つ第２のグループ３６を評価された試験信号から形成する。チェックサム３８．０〜３８．Ｒ−１も個々のデータ・ブロック３７．０〜３７．Ｒ−１のそれぞれに追加する。
【００５２】
特に、第２のグループ３６のデータ・ブロック３７．０〜３７．Ｒ−１は第１のグループ３５のデータ・ブロック３３．０〜３３．Ｑ−１と同じ長さである。エラー・レートを決定するには、第１のグループ３５および第２のグループ３６の対応するデータ・ブロック３３．０〜３３．Ｑ−１および３７．０〜３７．Ｒ−１を試験装置１または１’においてそれぞれビット毎に相互に比較する。
【００５３】
２つの送信方向３および４において異なるデータ・レートを実現するには、第１のグループ３５の第１の数Ｑ個のデータ・ブロック３３．０〜３３．Ｑ−１および第２のグループ３６の第２の数Ｒ個のデータ・ブロック３７．０〜３７．Ｒ−１は相互に異なる。
【００５４】
すべてのデータ・ブロックを無誤謬送信する場合、データ・ブロック３３．０〜３３．Ｑ−１または３７．０〜３７．Ｒ−１の小さい方の数ＱまたはＲを持つ、グループ３５または３６のデータ・ブロックは、好ましくは他方のグループ３６または３５の第１のデータ・ブロックとそれぞれ一致する。しかしながら、データ・ブロック３７．０〜３７．Ｒ−１も、例えば、データ・ブロック３３．０〜３３．Ｑ−１の１つおきのデータ・ブロックとの一致が無誤謬送信において提供されるように形成することが可能である。
【００５５】
グループ３５および３６におけるデータ・ブロック３３．０〜３３．Ｑ−１およびデータ・ブロック３７．０〜３７．Ｒ−１の数に加えて、第１のグループ３５のデータ・ブロック３３．０〜３３．Ｑ−１の長さも第２のグループ３のデータ・ブロック３７．０〜３７．Ｒ−１の長さと異なるようにすることができる。しかしながら、１つのグループ３５または３６内のデータ・ブロック３３．０〜３３．Ｑ−１または３７．０〜３７．Ｒ−１の長さは、それぞれの場合に等しくするのが好ましい。
【００５６】
図７に示すように、第１のグループ３５のデータ・ブロック３３．０〜３３．Ｑ−１のチェックサム３４．０〜３４．Ｑ−１の形式と一致する、第２のグループ３６のデータ・ブロック３７．０〜３７．Ｒ−１のチェックサム３８．０〜３８．Ｒ−１からの差を示すものとして、図８に示す実施形態では、第１のグループ３５のデータ・ブロック３３．０〜３３．Ｑ−１のチェックサム３４．０〜３４．Ｑ−１とは形式が異なる、チェックサム３８．０’〜３８．Ｒ−１’を第２のグループ３６のデータ・ブロック３７．０〜３７．Ｒ−１に対して用いる。
【００５７】
反復を防止するために、図７および図８に示す例示的実施形態の一致する要素についてはさらなる説明はしない。
【００５８】
例示的実施形態は第１のグループ３５のデータ・ブロック３３．０〜３３．Ｑ−１の数Ｑが第２のグループ３６のデータ・ブロック３７．０〜３７．Ｒ−１の数Ｒよりも大きい場合について示されている。これは第１の送信方向３におけるデータ・レートの方が大きいという仮定に対応している。異なるデータ・レートを実現するためにデータ・ブロックに対して異なる長さを使用するのと同様に、第２の送信方向４におけるデータ・レートの方を大きくすることも可能である。対応する場合、第２の数Ｒは第１の数Ｑよりも大きい。
【００５９】
追加の数のデータ・ブロック３７．０〜３７．Ｒ−１は、次いで、被試験装置２、２’により所定のデータ内容を充填される。
【００６０】
本発明は説明された例示的実施形態に限定されず、異なる例示的実施形態からの個々の特長の組み合わせをも含むものである。
【図面の簡単な説明】
【００６１】
【図１】本発明の方法を実施するための第１の配置の簡略図である。
【図２】本発明の方法を実施するための第２の配置の簡略図である。
【図３】エラー訂正のための信号処理の第１の例の概略図である。
【図４】エラー訂正のための信号処理の第２の例の概略図である。
【図５】双方向通信における異なる長さのデータ・ブロックの処理の概略図である。
【図６−ａ】第１および第２の通信方向において用いられる接続パラメータの例示的図表である。
【図６−ｂ】第１および第２の通信方向において用いられる接続パラメータの例示的図表である。
【図７】２つの通信方向おける異なる数のデータ・ブロックを持つデータ・ブロックのグループの処理のための第１の例の概略図である。
【図８】２つの通信方向おける異なる数のデータ・ブロックを持つデータ・ブロックのグループの処理のための第２の例の概略図である。
【符号の説明】
【００６２】
１、１’  試験装置
２、２’  被試験装置
３  第１の通信方向（ダウンリンク）
４、４’  第２の通信方向（アップリンク）
６  第１のエラー訂正要素
７  第２のエラー訂正要素
５  シーケンス生成器
８  試験部分
８．１  第１の変異部分
８．２  第２の変異部分
９  第３のエラー訂正要素
１０  第４のエラー訂正要素
１１  評価部
１３、１４、１５、１６  変調器
１７、１８、１９、２０、２１、２２、２３、２３’、２４、２４’、２５、２５’、２６、２６’、２７、２７’、２８、２８’、  （処理）ステージ
２９、３３．０〜３３．Ｑ−１  第１のデータ・ブロック
２９．１  第１の部分
２９．２  第２の部分
３０、３２、３４．０〜３４．Ｑ−１、３８．０〜３８．Ｒ−１、３８．０’〜３８．Ｒ−１’  チェックサム
３１、３７．０〜３７．Ｒ−１  第２のデータ・ブロック
３５  第１のグループ
３６  第２のグループ
Ｑ  第１の数
Ｒ  第２の数
【図１】
0004460575.tif 000002
【図２】
0004460575.tif 000003
【図３】
0004460575.tif 000004
【図４】
0004460575.tif 000005
【図５】
0004460575.tif 000006
【図６−ａ】
0004460575.tif 000007
【図６−ｂ】
0004460575.tif 000008
【図７】
0004460575.tif 000009
【図８】
0004460575.tif 000010